(57)【要約】【課題】遊技盤の正面側に露出している部分の交換が可能な入賞口ユニットを提供する。【解決手段】普通電動役物と入賞口とを一体として構成した入賞口ユニット５において、通過口部材５５ａ（５５ｂ）を取付部材５１に対して交換可能とし、始動入賞口の入賞を検出するセンサ５７を兼用する方式の入賞口ユニット５ａと、兼用しない方式の入賞口ユニット５ｂとの変更を可能とした。また、正面側に露出する開閉装置５２に対して背面側の駆動装置５０Ｂも着脱自在とすることで、開閉装置５２の交換も可能とした。【選択図】  図２
2008212277.tif 000002
【特許請求の範囲】
【請求項１】
遊技球が流下する遊技領域を正面側に有する遊技盤を備えた弾球遊技機に設けられる入賞口ユニットであって、
遊技球の落入により賞球が行なわれる入賞部と、
前記入賞部の鉛直上方において、前記役物に着脱自在に取り付けられ、通過口に落入した遊技球を前記入賞部内へ落入させる第１通過口部材と、
前記入賞部に着脱自在に取り付けられ、通過口に落入した遊技球を遊技盤背面側へ導く導球手段を有する第２通過口部材とを有し、
前記第１通過口部材と第２通過口部材は交換可能であることを特徴とする入賞口ユニット。
【請求項２】
前記入賞部は、遊技球の落入を可能な状態とする開放状態と、落入不可とする閉鎖状態とに変更可能な開閉装置を供えている請求項１に記載の入賞口ユニット。
【請求項３】
前記入賞部は、
前記開閉装置を開閉駆動させる駆動装置と、
前記駆動装置側に設けられた駆動部材と、前記開閉装置側に設けられ、前記駆動部材に応じて駆動する従動部材とを有する伝動装置とを有し、
前記駆動装置と前記開閉装置は、前記駆動部材と前記従動部材の係脱によって着脱自在に接続されている請求項２に記載の入賞口ユニット。
【請求項４】
前記駆動部材と前記従動部材の一方は、前後方向に延設されたピン部材であり、前後方向に形成されたピン部材を収容する収容部を備え、
前記駆動装置と前記開閉装置は、相対的に前後方向に近接又は離間させることによって、着脱自在に接続される請求項３に記載の入賞口ユニット。
【発明の詳細な説明】
【技術分野】
【０００１】
本発明は、弾球遊技機の入賞口ユニットに係り、詳しくは、入賞口を構成する部材を部分的に交換可能な入賞口ユニットに関するものである。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。 
このような入賞口において、例えば、１種機種では、抽選を開始する始動入賞口の真下に、電動チューリップと呼ばれる入賞部が設けられているものがある。この入賞部は、所定の確率で開閉し、入賞した場合には、始動入賞口に入賞した場合と同様に、抽選が開始される。
【０００３】
従来の弾球遊技機では、上記始動入賞口と、電動チューリップとを一体して構成した入賞口ユニットが用いられているものがある。 
一方、入賞口ユニットには、上下に配置された入賞口と電動チューリップの構成において、上部の入賞口の底部に孔を形成し、入賞口に落入した遊技球を電動チューリップへスルーさせ、電動チューリップの検出センサで入賞を検出する方式のユニットと、上側の入賞口に落入した遊技球を遊技盤の背面側に導球して電動チューリップとは異なる検出センサで入賞を検出する方式のユニットとの２通りのユニットが存在していた。
【特許文献１】特開２００２−２１０１１７号
【発明の開示】
【発明が解決しようとする課題】
【０００４】
従来の入賞口ユニットでは、普通電動役物と始動入賞口が一体として構成されているので、上記２つの方式のユニットは、別個に製造する必要がある。このため、普通電動役物が共通している場合にも、別のユニットとして製造しなければならなかった。 
また、新たに弾球遊技機を開発する場合、遊技盤面の装飾を変更するために正面側に露出する普通電動役物の羽根や、始動入賞口等は、新たな意匠を施す必要があるが、普通電動役物を駆動させる駆動装置の変更は不要である。しかしながら、従来では入賞口ユニットが一体化されているため、駆動装置にも含めて全てを新たに設計し、製造する必要があった。 
この発明の目的は、遊技盤の正面側に露出している部分の交換が可能な入賞口ユニットを提供することにある。
【課題を解決するための手段】
【０００５】
以上のような問題を解決する本発明は、以下のような構成を有する。 
（１）  遊技球が流下する遊技領域を正面側に有する遊技盤を備えた弾球遊技機に設けられる入賞口ユニットであって、
遊技球の落入により賞球が行なわれる入賞部と、
前記入賞部の鉛直上方において、前記役物に着脱自在に取り付けられ、通過口に落入した遊技球を前記入賞部内へ落入させる第１通過口部材と、
前記入賞部に着脱自在に取り付けられ、通過口に落入した遊技球を遊技盤背面側へ導く導球手段を有する第２通過口部材とを有し、
前記第１通過口部材と第２通過口部材は交換可能であることを特徴とする入賞口ユニット。
【０００６】
（２）  前記入賞部は、遊技球の落入を可能な状態とする開放状態と、落入不可とする閉鎖状態とに変更可能な開閉装置を供えている上記（１）に記載の入賞口ユニット。
【０００７】
（３）  前記入賞部は、
前記開閉装置を開閉駆動させる駆動装置と、
前記駆動装置側に設けられた駆動部材と、前記開閉装置側に設けられ、前記駆動部材に応じて駆動する従動部材とを有する伝動装置とを有し、
前記駆動装置と前記開閉装置は、前記駆動部材と前記従動部材の係脱によって着脱自在に接続されている上記（２）に記載の入賞口ユニット。
【０００８】
（４）  前記駆動部材と前記従動部材の一方は、前後方向に延設されたピン部材であり、前後方向に形成されたピン部材を収容する収容部を備え、
前記駆動装置と前記開閉装置は、相対的に前後方向に近接又は離間させることによって、着脱自在に接続される上記（３）に記載の入賞口ユニット。
【発明の効果】
【０００９】
請求項１に記載の発明によれば、第１通過口部材と第２通過口部材とを交換可能に構成されているので、入賞口ユニットの使用目的に応じて両者を交換し、他の構成部材を有効に用いることができる。また、第１及び第２通過口部材の意匠を変更する場合にも、部分的な変更が可能で、変更不要な部分は継続して使用することができ、部品の有効利用を図ることができる。
【００１０】
請求項２に記載の発明によれば、入賞部が開閉装置を備えているので、異なる通過口部材の間で、開閉装置を共用することができ、部品の有効利用効果を一層顕著に発揮させることができる。
【００１１】
請求項３に記載の発明によれば、伝動装置の駆動部材と従動部材を係脱可能となることによって、動力伝達部分での着脱が可能となり、開閉装置と駆動装置との間の着脱ができる構成となった。このため、高価な駆動装置を共用して、開閉装置のみを他の開閉装置に交換することができる。 
請求項４に記載の発明によれば、駆動装置と開閉装置を相対的に前後方向に移動させることで、相互の着脱が可能となるので、着脱操作が容易となる。
【発明を実施するための最良の形態】
【００１２】
図１は、本実施形態における遊技機を示す図である。以下、本明細書において、遊技機の遊技者が配置される側を正面、前面又は前側として表現し、遊技者の配置位置に対して反対側を背面、後面又は後側とし、図１に示されているような正面視において、左右方向をＹ軸方向、前後方向をＸ軸方向、鉛直方向をＺ軸と定義し、右方向をＹ軸方向の正方向、前側から後側へ向かう方向をＸ軸方向の正方向、鉛直下方へ向かう方向をＺ軸の正方向と定義する。
【００１３】
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。 
前枠２は、外枠１の正面左側上下に取り付けられたヒンジ金具３Ａ、３Ｂにより外枠１に対して開閉可能に取り付けられ、さらに、外枠１の正面右側に設けられた施錠装置１２によって閉鎖状態に保持されるようになっている。
【００１４】
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて画成された円形状の遊技領域６が設けられている。 
遊技領域６には、略中央部に表示装置として図柄変動表示装置６ｊが設置される窓部で構成された表示部６ａが設けられている。表示部６ａの周りには装飾部材６Ｂや、入賞口ユニット５の始動入賞口６ｃ、および特別入賞口６ｄ、その他入賞口６ｋ、６ｍ、６ｎ、６ｐなどがそれぞれ配置されている。遊技領域下部にはアウト球を回収するアウト口６ｅも設けられており、始動入賞口６ｃや特別入賞口６ｄに入賞せずに落下したアウト球を遊技盤３の背面側から機外に排出できるようになっている。 
また、前枠２の前面上部側には、遊技盤３を視認できるように透明なガラス盤を備えたガラス枠７０が水平方向に開閉可能かつ着脱可能に設けられ、通常は、施錠装置１２により閉鎖状態に保持されて遊技盤３の前面を覆っている。
【００１５】
前枠２の前面下部側でガラス枠７０の下方には、皿ユニット７０１が、前枠２に開閉支持されている背面板（図示されず）に取り付けられて設けてある。皿ユニット７０１は、図示しない施錠装置により通常、閉鎖状態に保持されている。皿ユニット７０１は、球受け皿を構成している球貯留部７０１ａと、球貯留部７０１ａの正面左側下部に設けられた灰皿７０１ｂと、球貯留部７０１ａの正面右側下部に設けられた発射ハンドル７０１ｃと、操作装置としてのボタン７０１ｄとを有している。
【００１６】
次に入賞口ユニット５の構成について説明する。図２は、入賞口ユニット５の分解斜視図である。入賞口ユニット５は、取付部材５１と、開閉装置５２と、駆動装置５０Ｂと、第１通過口部材５５ａと、第２通過口部材５５ｂとを備えている。 
取付部材５１は、遊技盤３に形成された収容孔内に正面側から挿入されて、遊技盤３に固定される。取付部材５１は、遊技盤３の収容孔内に収納される本体５１０と、該本体５１０の正面側に設けられ遊技盤面に重ねられるフランジ部５１１と、本体５１０の内側には後述する伝達装置を収納する収納部５１２が形成されている。収納部５１２の中央には、入賞球を導球する導球路５１３が前後方向に形成されている。導球路５１３は前端部が入賞球を取り込む開口部５１３ｈとなっている。
【００１７】
開口部５１３ｈの左右両側には、スリット５１４、５１４が形成されており、このスリット５１４、５１４には、後述する開閉装置５２の開閉部材５２２、５２２に立設された従動部材が挿通する。 
本体５１０の上部には、第１通過口部材５５ａ、第２通過口部材５５ｂを接続させるための接続部５１５、５１５が左右両端に設けられている。これらの接続部５１５、５１５は、前後方向に円筒形状に形成された凹部となっており、底部にはネジ孔５１５ａが形成されている。さらに、本体５１０の背面において左右両端部には、駆動装置５０Ｂと接続させるための接合部５１６が形成されている。
【００１８】
本体５１０の正面側には、開閉装置５２が取り付けられる。開閉装置５２は、保持部材５２０と、保持部材５２０に揺動自在に支持された２つの開閉部材５２１、５２１とを備え、開閉部材５２１、５２１は、共に鉛直方向に立設された閉鎖状態と、共に外側に開いた開放状態との間で揺動できるように支持されている。図２に示されている状態は、一方は鉛直に維持された閉鎖状態が、他方は外側に倒れた開放状態がそれぞれ示されている。開放状態で、遊技球が入賞し得る状態となる。開閉部材５２１、５２１の間に入賞部５２０ａが構成される。入賞部５２０ａに取り込まれた入賞球は、開口部５１３ｈから導球路５１３へ転入する。
【００１９】
各開閉部材５２１、５２１には、背面側に突出形成されたピン状の従動部材５２１ａ、５２１ａをそれぞれ有しており、この従動部材５２１ａ、５２１ａは、上記スリット５１４、５１４をそれぞれ挿通し、本体５１０の収納部５１２内に先端部が突出する。従動部材５２１ａ、５２１ａは、開閉部材５２１、５２１の揺動とともにスリット５１４、５１４内を移動する。
【００２０】
取付部材５１の背面側には、駆動装置５０Ｂが取り付けられる。図３は、駆動装置５０Ｂの分解斜視図である。駆動装置５０Ｂは、支持部材５３と、ソレノイドユニット５４と、駆動部材５６と、通過センサ５７とを有している。支持部材５３は、ソレノイドユニット５４と、駆動部材５６とを支持する。支持部材５３は、正面側の左右端部に、前記接合部５１６が接合される当接部５３１を有し、当接部５３１には、中央に形成された孔を挿通するネジによって、取付部材５１の接合部５１６が固定される。
【００２１】
各接合部５１６、５１６の内側には、駆動部材５６の揺動アーム５６１、５６１を収容する支持部５３２、５３２が形成され、支持部５３２、５３２の外側面には、揺動アーム５６１、５６１の支点５６１ａを回動自在に支持する支点孔５３２ａがそれぞれ形成されている。 
支持部５３２、５３２の間には、導球空間５３４が形成され、その鉛直下側には通過センサ５７が配置されている。導球空間５３４は、取付部材５１の導球路５１３の後端に接続され、導球路５１３によって導球された入賞球は、導球空間５３４を通って、通過センサ５７を通過し、入賞が検出される。
【００２２】
支持部材５３の背面側には、ケース５４１内に収められたソレノイドが設けられ、ソレノイドのプランジャの先端には、連結部材５４２が接続されている。連結部材５４２は、導球空間５３４の上側に位置し、先端は上方に突出した係合部５４３が形成されている。ソレノイドの駆動によって、連結部材５４２が前後方向（Ｘ軸方向）に往復移動する。
【００２３】
図４は、駆動部材５６の側面図である。駆動部材５６は、左右両側に側部材５６２、５６２を備え、各側部材５６２、５６２の背面側には揺動アーム５６１、５６１が延設されており、先端部の外側には支点５６１ａがそれぞれ突設されている。
【００２４】
また、各側部材５６２、５６２の正面側には、従動部材５２１ａ、５２１ａの先端部を収容する接続部５６３、５６３が形成され、先端部には従動部材５２１ａ、５２１ａの側部に適宜接触し得る接触部５６４ａ、５６４ｂが上下対向する位置に設けられている。従動部材５２１ａ、５２１ａは、揺動する開閉部材５２１に設けられているため、開閉部材５２１の揺動によって、上下動するとともに、左右方向にも移動する。このため、接触部５６４ａ、５６４ｂは、左右方向（Ｙ軸方向）の移動量に相当する幅Ｗ２を有している。スリット５１４、５１４についても同様の理由から、幅Ｗ１を有している。このような幅Ｗ２を備えることによって、駆動部材５６と従動部材５２１ａ、５２１ａとの接続が外れることなく、開閉駆動力が確実に開閉部材５２１、５２１に伝達される。また、接触部５６４ａ、５６４ｂの隙間は、前方に向けて開放されているので、後側から駆動装置５０Ｂを取付部材５１内に挿入した場合、容易に駆動部材５６と従動部材５２１ａ、５２１ａとを接続させることができる。
【００２５】
駆動部材５６の上部には、連結部材５４２の係合部５４３を収容する孔５６５が形成されており、駆動部材５６の後側らか挿入された連結部材５４２を、下側から係合部５４３を孔５６５に挿入することで、連結部材５４２と駆動部材５６との接合が完了する。 
ソレノイドユニット５４のソレノイドの駆動によって、連結部材５４２が前後方向に往復動し、これにより、駆動部材５６が、支点５６１ａを中心とて上下に揺動し、接触部５６４ａ、５６４ｂが上下に移動する。具体的には、連結部材５４２が後方に移動すると、接触部５６４ａ、５６４ｂは上方へ移動する。連結部材５４２が前方に移動すると、接触部５６４ａ、５６４ｂは下方へ移動する。側部材５６２、５６２の間には、導球路５１３が位置し、入賞球が通過する。上記取付部材５１、開閉装置５２、駆動装置５０Ｂとによって普通電動役物が構成される。
【００２６】
取付部材５１の本体５１０上部には、第１通過口部材５５ａ又は第２通過口部材５５ｂが取り付けられる。第１通過口部材５５ａは、取付部材５１に取り付けられた際に、フランジ部５１１と一体となる基材５５１ａと、基材５５１ａの中央部正面側に枠状に形成され、内側に通過口としての通過開口部５５２ａを備える通過口形成部５５３ａと、基材５５１ａの背面側左右端部に設けられた当接部５５４ａと、通過口形成部５５３ａの背面側に設けられた支持片５５５ａとを備えている。当接部５５４ａは、本体５１０の接続部５１５、５１５に先端が当接し、ネジ孔５１５ａを挿通するネジによって、取付部材５１に着脱自在に固定される。通過口形成部５５３ａには、通過開口部５５２ａの鉛直下側に連通孔５５６ａが形成されている。図５は、上記第１通過口部材５５ａが取り付けられた本発明の入賞口ユニット５ａの全体斜視図である。 
入賞口ユニット５ａでは、通過開口部５５２ａが遊技領域６の始動入賞口６ｃとして機能する。そして、通過開口部５５２ａに落入した遊技球は、連通孔５５６ａを通って、入賞部５２０ａに落下するように構成されている。
【００２７】
第２通過口部材５５ｂは、取付部材５１に取り付けられた際に、フランジ部５１１と一体となる基材５５１ｂと、基材５５１ａの中央部正面側に形成され、内側に通過開口部５５２ｂを備える通過口形成部５５３ｂと、基材５５１ｂの背面側左右端部に設けられた当接部５５４ｂと、通過口形成部５５３ｂの背面側に設けられた導球部５５５ｂとを備えている。当接部５５４ｂは、本体５１０の接続部５１５、５１５に先端が当接し、ネジ孔５１５ａを挿通するネジによって、取付部材５１に着脱自在に固定される。
【００２８】
通過口形成部５５３ｂの内部は、導球部５５５ｂに連通し、入賞球は導球部５５５ｂに導かれる。導球部５５５ｂは、前後方向に延設されて、終端部は遊技盤３の背面側に突出しており、取付部材５１の側方へ向けて入賞球を排出する排出口５５６ｂが形成されている。排出された遊技球は、前記通過センサ５７とは異なるセンサによって検出される。図６は、上記第２通過口部材５５ｂが取り付けられた本発明の入賞口ユニット５ｂの全体斜視図である。入賞口ユニット５ｂでは、通過開口部５５２ｂが遊技領域６の始動入賞口６ｃとして機能する。そして、通過開口部５５２ｂに落入した遊技球は、導球部５５５ｂを通って、通過センサ５７と異なるセンサで検出される。
【００２９】
以上のように、通過口は、遊技球が通過する開口を意味し、通過口を通過することにより賞球が行なわれる場合には、入賞口となる。また、通過口に通球センサを設けることによりゲートを構成し、通過口の通球を、抽選の開始や、他の制御動作の契機とすることもできる。 
以上説明したように、第１通過口部材５５ａと第２通過口部材５５ｂとを交換するのみで、異なる形式の入賞口ユニットに容易に変更することが可能となる。
【００３０】
上記の構成のほか、普通電動役物は、電動によらない通常の役物であってもよい。役物とは入賞を容易とする特別の装置であり、例えば、遊技球の入賞を契機として拡張状態（入賞が容易な状態）、狭状態（入賞可能であるが、入賞確率が低くなっている状態）とに開閉部材が機械的に切り替わる装置（所謂、チューリップ）などが挙げられる。
【００３１】
上記構成のほか、図７に示されているように、特別入賞口６ｄを入賞部とする構成とすることもできる。この入賞口ユニット５ｃは、入賞部として特別入賞口６ｄを有する取付部材５１ｃと、第３通過口部材５５ｃと、駆動装置５０ｃを備えている。 
取付部材５１ｃは、遊技盤面に重ねられるフランジ部５１１ｃを備え、その中央部に開閉装置５２ｃを保持し、開閉装置５２ｃの背面側に、開閉装置５２ｃを駆動させる駆動装置５０ｃを保持している。また、取付部材５１ｃの上側には、第３通過口部材５５ｃが着脱自在に取り付けられる。
【００３２】
開閉装置５２ｃは、横長の矩形状に形成された開閉部材５２１ｃを備え、開閉部材５２１ｃは下端辺に沿った軸を揺動軸として開閉駆動する。この駆動力は駆動装置５０ｃにより供給される。開閉部材５２１ｃが開放されることにより、入賞部が構成され、開閉部材５２１ｃ上に落入した遊技球は開閉装置５２内へ取り込まれ、内部に設けられたセンサ６ｄｓによって入賞が検出される。 
第３通過口部材５５ｃは、遊技盤面に重ねられる板状の基材５５１ｃと、センサユニット５５４ｃと、背面側から挿入されたセンサユニット５５４ｃのセンサ部５５５ｃを収容するゲート部５５３ａとを備えている。
【００３３】
ゲート部５５３ｃの内側には基材５５１ｃの背面側に開口する収容部が形成され、収容部にはセンサユニット５５４ｃのセンサ部５５５ｃが収容保持される。センサ部５５５ｃは、遊技球が通過する通球孔５５２ｃを有する。通過口としての通球孔５５２ｃを遊技球が通過すると、通球が検出される。 
ゲート部５５３ａの背面側には、保持部材５５６ｃが後方へ向けて延設され、先端には爪５５７ｃが形成されている。爪５５７ｃは、センサユニット５５４ｃの背面側端に当接し、センサユニット５５４ｃのゲート部５５３ｃからの離脱を防止する。
【００３４】
基材５５１ｃは、フランジ部５１ｃと同じ厚さに構成され、フランジ部５１ｃと基材５５１ｃを一体化させることにより、１つの入賞口ユニット５ｃを構成する。また、フランジ部５１ｃと基材５５１ｃを一体化することで、単一のまとまった意匠が構成される。 
なお、上記構成において、第１通過口部材５５ａ、第２通過口部材５５ｂ、第３通過口部材５５ｃの各通過口の上方には、一対の命釘の代わりに、一対のピン状突出部が、基材に一体形成されていてもよい。
【００３５】
次に、本遊技機における遊技制御を行う遊技制御手段について説明する。 
図８において、遊技制御手段２００は、遊技の進行や演出等を含む弾球遊技機１００全体を統括制御する手段である。遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。遊技制御手段２００は、遊技盤３の背面側に設けられた制御基板上に設けられている。ここで、遊技制御手段２００は、１つの制御基板上に限らず、複数の制御基板上にわたって設けられていても良い。遊技制御手段２００は、本実施形態では、以下の各手段を備える。
【００３６】
（入賞球検出手段）
入賞球検出手段２１は、始動入賞口６ｃ及び特別入賞口６ｄに遊技球が入賞したときに、その入賞を検出するものである。これらの始動入賞口６ｃ及び特別入賞口６ｄには、それぞれ始動入賞口センサ５７及び特別入賞口センサ６ｄｓが設けられ、それぞれ入賞球検出手段２１に電気的に接続されている。なお、始動入賞口６ｃへの入賞の検出は、第２通過口部材５５ｂが装着されている場合には、センサ５７と異なるセンサにより検出される。
【００３７】
(抽選手段)
抽選手段２２は、入賞球検出手段２１により、始動入賞口６ｃへの遊技球の入賞が検出されたことを条件として、可変表示手段である図柄変動表示装置６ｊに表示する停止図柄に関する抽選を行うものであり、本実施形態では、▲１▼当選／非当選の有無、▲２▼図柄変動表示装置６ｊの図柄の変動表示後の停止図柄、及び▲３▼図柄の変動表示中の変動パターンの抽選を行う。抽選手段２２は、これらの▲１▼〜▲３▼の抽選を行うべく、当たり抽選手段２２ａと、停止図柄抽選手段２２ｂと、変動パターン抽選手段２２ｃとを備える。
【００３８】
（当たり抽選手段）
当たり抽選手段２２ａは、本実施形態では、当たり判定用乱数発生手段と、当たり判定用乱数取得手段と、当たり判定手段とを備える。 
当たり判定用乱数発生手段は、制御プログラム等によって所定の周期（例えば、１６ビット乱数による０〜６５５３５の周期）を有する当たり判定用乱数を発生させる。当たり判定用乱数取得手段は、当たり判定用乱数発生手段によって発生した当たり判定用乱数のうち１の当たり判定用乱数を、所定の時、本実施形態では始動入賞口センサ５７から送信された検出信号を入賞球検出手段２１が受信した時に取得する。 
当たり判定手段は、当たり判定用乱数取得手段により取得された当たり判定用乱数に基づいて、当選であるか非当選であるかを判定する。
当選と判定された場合には、後述する演出画像制御手段２７にコマンドを送る。
【００３９】
（停止図柄抽選手段）
停止図柄抽選手段２２ｂは、当たり抽選手段２２ａの当たり判定手段の判定結果に基づいていて、図柄変動表示装置６ｊに停止表示すべき停止図柄を抽選するものである。 
(変動パターン抽選手段)
変動パターン抽選手段２２ｃは、図柄変動表示装置６ｊに表示すべき図柄の変動パターンを抽選するものである。
当たり抽選手段２２ａの当たり判定手段での判定手段での判定結果に基づいて、複数種類の図柄の変動パターンを記憶したデータテーブルを参照して、いずれか１つの変動パターンを選択する。
【００４０】
(図柄表示制御手段)
図柄表示制御手段２３は、始動入賞口６ｃへの遊技球の入賞により、入賞球検出手段２１が検出信号を受信したことを条件として、図柄変動表示装置６ｊの図柄の変動表示及び停止表示を行うように制御するものである。 
（特別遊技制御手段）
特別遊技制御手段２４は、当たり抽選手段２２ａの当たり判定用乱数取得手段により取得された当たり判定用乱数が当選図柄変動表示装置６ｊにより停止表示された図柄が当選図柄(例えば「７７７」)となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口６ｄが開放され、遊技球を受け入れ易い状態になることで、それまで以上に賞球の獲得が期待できる遊技である。
【００４１】
（球搬出制御手段）
球搬出制御手段２５は、賞球の払出し等を行うための球搬出装置２５ｄの駆動を制御するものである。上述したように、始動入賞口センサ５７及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球を弾球遊技機１の皿７０１ａに払い出す。 
（普通図柄制御手段）
普通図柄制御手段２６は、上述した普通図柄変動表示装置２６４ｄの変動表示及び停止表示を制御するためのものであり、以下の各手段を備える。
【００４２】
（入球検出手段）
入球検出手段２６２は、有効となっている普通図柄始動口６ｉを遊技球が通過したときに、それを検出するものである。 
普通図柄始動口６ｉを遊技球が通過すると、普通図柄始動口センサ６ｉｓから、そのときの検出信号が入球検出手段２６２に送信される。この検出信号を受信したときに、入球検出手段２６２は、普通図柄始動口６ｉを遊技球が通過したことを検出する。 
（普通図柄抽選手段）
普通図柄抽選手段２６３は、有効となっている普通図柄始動口６ｉを遊技球が通過したことを条件として、普通図柄変動表示装置２６４ｄに停止表示すべき図柄を抽選によって決定するものである。 
普通図柄抽選手段２６３は、上述した当たり抽選手段２２ａと同様に、当たり判定用乱数発生手段と当たり判定用乱数値取得手段と、当たり判定手段とを備える。
【００４３】
（普通図柄変動制御手段）
普通図柄変動制御手段２６４は、普通図柄変動口６ｉを遊技球が通過したときに、普通図柄抽選手段２６３の抽選結果に基づいて、普通図柄変動表示装置２６４ｄの図柄の変動表示及び停止表示を行うように制御するものである。 
普通図柄変動制御手段２６４は、普通図柄変動表示装置２６４ｄの図柄を所定時間変化させ後、最終的には普通図柄抽選手段２６３によって決定された図柄を普通図柄変動表示装置２６４ｄに停止表示させる。
【００４４】
（球誘導装置制御手段）
球誘導装置制御手段２６５は、普通図柄抽選手段２６３の抽選結果に基づいて、球誘導装置２６５ｄの作動を制御するものである。具体的には、普通図柄抽選手段２６３による抽選で当選したときは、球誘導装置２６５ｄを作動させるように制御する。これと逆に、普通図柄抽選手段２６３による抽選で非当選であったときは、球誘導装置２６５を作動させない。この実施形態では、球誘導装置２６５ｄは、駆動装置５０Ｂ及び開閉装置５２で構成される。
【００４５】
（演出画像制御手段）
演出画像制御手段２７は、図柄変動表示装置６ｊに表示される演出画像を制御する。 
演出画像制御手段２７は、当たり抽選手段２２ａにより、当選の旨のコマンドを受け取った場合には、図柄変動表示装置６ｊに表示される演出画像を選択し、これを表示する。
【図面の簡単な説明】
【００４６】
【図１】本発明の弾球遊技機の全体正面図である。
【図２】入賞口ユニットの分解斜視図である。
【図３】駆動装置の分解斜視図である。
【図４】駆動部材の全体側面図である。
【図５】入賞口ユニットの全体斜視図である。
【図６】入賞口ユニットの全体斜視図である。
【図７】入賞口ユニットの全体斜視図である。
【図８】遊技制御手段の構成を示すブロック図である。
【符号の説明】
【００４７】
１００  弾球遊技機
１  外枠
１２  施錠装置
２  前枠
３  遊技盤
３Ａ、３Ｂ  ヒンジ金具
５  入賞口ユニット
５０Ｂ  駆動装置
５１  取付部材
５２  開閉装置
５３  支持部材
５４  ソレノイドユニット
５５ａ、５５ｂ  通過口部材
５６  駆動部材
５２１  開閉部材
５２１ａ  従動部材
６  遊技領域
６ａ  表示部
６ｃ  始動入賞口
６ｄ  特別入賞口
７０  ガラス枠
７０１  皿ユニット
７０１ａ  球貯留部
７０１ｂ  灰皿
７０１ｃ  発射ハンドル
【図１】
2008212277.tif 000003
【図２】
2008212277.tif 000004
【図３】
2008212277.tif 000005
【図４】
2008212277.tif 000006
【図５】
2008212277.tif 000007
【図６】
2008212277.tif 000008
【図７】
2008212277.tif 000009
【図８】
2008212277.tif 000010